(57)【要約】【課題】装飾体が外れにくい二層構造の収納バッグを提供する。【解決手段】収納バッグ１００は、シリコーンバッグ１及びシリコーン装飾体２１を備える。シリコーンバッグ１は、前片部材１１、後片部材１２及び舌片部材１３を有する。前片部材１１と後片部材１２とが接続されて収納空間１５が画成される。収納空間１５は、連通した開口１６を有する。舌片部材１３は、後片部材１２に延設される。前片部材１１は、係合部１１２を有する。舌片部材１３は、相互係合部１３１を有する。係合部１１２と相互係合部１３１とが係合されると開口１６が閉じられ、係合部１１２と相互係合部１３１とが分離されると開口１６が開く。シリコーン装飾体２１は、シリコーンバッグ１の外表面１１１に射出成形される。シリコーンバッグ１は、引掛け孔部材１４を有する。【選択図】図１
0003184999.tif 000002
【実用新案登録請求の範囲】
【請求項１】
シリコーンバッグ及びシリコーン装飾体を備えた収納バッグであって、
前記シリコーンバッグは、前片部材、後片部材及び舌片部材を有し、前記前片部材と前記後片部材とが接続されて収納空間が画成され、前記収納空間は、連通した開口を有し、前記舌片部材は、前記後片部材に延設され、前記前片部材は、係合部を有し、前記舌片部材は、相互係合部を有し、前記係合部と前記相互係合部とが係合されると開口が閉じられ、前記係合部と前記相互係合部とが分離されると開口が開き、
前記シリコーン装飾体は、前記シリコーンバッグの外表面に射出成形されることを特徴とする収納バッグ。
【請求項２】
前記シリコーンバッグに配設された持ち手部材をさらに備えることを特徴とする請求項１に記載の収納バッグ。
【請求項３】
前記シリコーンバッグは、引掛け孔部材を有することを特徴とする請求項１に記載の収納バッグ。
【請求項４】
前記引掛け孔部材に係止する掛止部材を端部に有する持ち手部材をさらに備えることを特徴とする請求項３に記載の収納バッグ。
【請求項５】
前記シリコーン装飾体は、外表面に凹凸形状で形成されることを特徴とする請求項２に記載の収納バッグ。
【請求項６】
前記シリコーン装飾体は、前記シリコーンバッグの外表面に接続された固定部と、前記固定部から延びた延伸部と、を有することを特徴とする請求項１に記載の収納バッグ。
【請求項７】
前記舌片部材の側部には、縁口部が設けられていることを特徴とする請求項１に記載の収納バッグ。
【請求項８】
前記前片部材は、前記開口に接続された凹縁部を有することを特徴とする請求項１に記載の収納バッグ。
【請求項９】
前記後片部材と前記舌片部材との間には、折り線部が設けられていることを特徴とする請求項１に記載の収納バッグ。
【請求項１０】
前記シリコーン装飾体に射出成形されたシリコーンサブ装飾体をさらに備えることを特徴とする請求項１に記載の収納バッグ。
【考案の詳細な説明】
【技術分野】
【０００１】
本考案は、収納バッグに関し、特に、シリコーンからなる収納バッグに関する。
【背景技術】
【０００２】
一般に収納バッグは、物品を収納して携帯を容易にしたり、物品に埃がついたり摩擦により損壊したりすることを防ぐために使用する。従来の収納バッグは、物品が収納されていないときに押し潰したり折り畳んで体積を小さくすることができるように、布、皮革、合成皮革など柔らかな材料からなることが一般的である。
【０００３】
消費者は、収納バッグを購入する際、容量、形状及び材質以外に、スタイリッシュな感じのデザインが施されているか否かを考慮することが一般的である。収納バッグは、色、模様などによりデザイン性を高めることができる上、レース、スパンコール、ボタン、又はその他の装飾物を取り付けて見栄えを良くすることもできる。しかし、レース、スパンコール、ボタンなどの装飾体は、収納バッグの外表面へ縫着方式又は粘着方式により取り付けられることが多く、その場合、収納バッグから外れて元々備えていた収納バッグの美化機能が失われたり、縫着又は粘着の跡が残って見た目が好ましくないために収納バッグ自体が廃棄されてしまったりする虞があった。
【考案の概要】
【考案が解決しようとする課題】
【０００４】
そのため、本考案の目的は、装飾体が外れにくい二層構造の収納バッグを提供することにある。
【課題を解決するための手段】
【０００５】
上記課題を解決するために、本考案の第１の形態によれば、シリコーンバッグ及びシリコーン装飾体を備えた収納バッグであって、前記シリコーンバッグは、前片部材、後片部材及び舌片部材を有し、前記前片部材と前記後片部材とが接続されて収納空間が画成され、前記収納空間は、連通した開口を有し、前記舌片部材は、前記後片部材に延設され、前記前片部材は、係合部を有し、前記舌片部材は、相互係合部を有し、前記係合部と前記相互係合部とが係合されると開口が閉じられ、前記係合部と前記相互係合部とが分離されると開口が開き、前記シリコーン装飾体は、前記シリコーンバッグの外表面に射出成形されることを特徴とする収納バッグが提供される。
【０００６】
前記シリコーンバッグに配設された持ち手部材をさらに備えることが好ましい。
【０００７】
前記シリコーンバッグは、引掛け孔部材を有することが好ましい。
【０００８】
前記引掛け孔部材に係止する掛止部材を端部に有する持ち手部材をさらに備えることが好ましい。
【０００９】
前記シリコーン装飾体は、外表面に凹凸形状で形成されることが好ましい。
【００１０】
前記シリコーン装飾体は、前記シリコーンバッグの外表面に接続された固定部と、前記固定部から延びた延伸部と、を有することが好ましい。
【００１１】
前記舌片部材の側部には、縁口部が設けられていることが好ましい。
【００１２】
前記前片部材は、前記開口に接続された凹縁部を有することが好ましい。
【００１３】
前記後片部材と前記舌片部材との間には、折り線部が設けられていることが好ましい。
【００１４】
前記シリコーン装飾体に射出成形されたシリコーンサブ装飾体をさらに備えることが好ましい。
【考案の効果】
【００１５】
本考案の収納バッグは、シリコーン装飾体がシリコーンバッグに射出成形されているため、簡単に外れずに長期間固定させることができる。シリコーン装飾体の形状及び色をユーザの好みに応じてデザインすることができるため、収納バッグの構造及び見た目を様々なデザインにすることができる。また、シリコーンバッグは軽量で使い易い上、柔らかくて弾力性に富んでいるため、振動を吸収し、地面に落としても中に収納した物品が損壊する虞がない。
【図面の簡単な説明】
【００１６】
【図１】図１は、本考案の第１実施形態に係る収納バッグを示す斜視図である。
【図２】図２は、本考案の第１実施形態に係る収納バッグを示す側面図である。
【図３】図３は、本考案の第１実施形態に係る収納バッグを示す背面図である。
【図４】図４は、本考案の第２実施形態に係る収納バッグを示す斜視図である。
【図５】図５は、本考案の第３実施形態に係る収納バッグを示す正面図である。
【図６】図６は、本考案の第３実施形態に係る収納バッグを示す背面図である。
【図７】図７は、本考案の第４実施形態に係る収納バッグを示す正面図である。
【図８】図８は、本考案の第４実施形態に係る収納バッグを示す背面図である。
【考案を実施するための形態】
【００１７】
以下、本考案の実施形態について図に基づいて説明する。なお、これによって本考案が限定されるものではない。
【００１８】
（第１実施形態）
図１〜図３を参照する。図１〜図３に示すように、本考案の第１実施形態に係る収納バッグは、少なくともシリコーンバッグ１、複数のシリコーン装飾体２１，２２，２３及び複数のシリコーンサブ装飾体３１，３２及び持ち手部材４から構成される。
【００１９】
シリコーンバッグ１は、高弾力性、低化学反応性、無毒性、熱安定性、防水性、絶縁性、無粘着性、耐酸化性などの特性を備えたシリコーン（ｓｉｌｉｃｏｎｅ）からなる。さらに詳細には、シリコーンの密度、種類、厚さ、色などを変えることにより、シリコーンバッグ１に明るさ、透光性、色彩が異なる模様を付与することができる。シリコーンバッグ１は、前片部材１１、後片部材１２、舌片部材１３及び２つの引掛け孔部材１４を含む。
【００２０】
前片部材１１と後片部材１２とが接続されて収納空間１５が画成され、この収納空間１５は、物品を収納空間１５へ入れたり収納空間１５から取り出したりするために用いる開口１６を有する。勿論、他の実施形態では、挟層を増設して複数の収納空間１５を形成してもよい。複数の収納空間１５は、互いに連通してもよいし連通しなくてもよい。前片部材１１の外表面１１１には、係合部１１２が形成され、前片部材１１は、開口１６が大きくなるように、台形の凹縁部１１３を有する。勿論、他の実施形態では前片部材１１が凹縁部１１３を含まなくてもよいし、或いは、凹縁部１１３を半円形、矩形、波形、Ｖ字形など台形以外の形状にしてもよい。
【００２１】
後片部材１２は、外表面１２１を有し、開口１６に隣接した端部に延設された舌片部材１３を有する。舌片部材１３は、相互係合部１３１、縁口部１３２及び外表面１３３を有する。相互係合部１３１は、舌片部材１３に形成され、相互係合部１３１と係合部１１２とが係合されると開口１６が閉じ、相互係合部１３１と係合部１１２とが分離されると開口１６が開かれる。他の実施形態では、収納空間１５中に埃が侵入して収納された物品が汚れたり摩損したりすることを防ぐために、前片部材１１に複数の係合部１１２を設け、舌片部材１３に複数の相互係合部１３１を設け、複数の係合部１１２と複数の相互係合部１３１とを係合させることにより、舌片部材１３と前片部材１１とをより堅固に係合させてもよい。縁口部１３２は、開口１６が設けられた側とは反対側の舌片部材１３の端部、即ち鋸歯状の切欠き部分に位置する。勿論、他の実施形態において、縁口部１３２は、水滴形、波形又はその他の形状の切欠きでもよい。第１実施形態の２つの引掛け孔部材１４は、シリコーンバッグ１の両側に形成されているが、他の実施形態では、１つだけの引掛け孔がシリコーンバッグ１の任意の箇所に形成されてもよい。２本の折り線部１７ａ，１７ｂは、舌片部材１３と後片部材１２との間に形成され、舌片部材１３を折り曲げて開口１６を閉じるために利用する溝部でもよい。
【００２２】
シリコーン装飾体２１，２２，２３はシリコーンからなる。シリコーン装飾体２１は、射出成形されて前片部材１１の外表面１１１に凹凸形状で形成され、猫の顔を表す立体に形成される。複数のシリコーン装飾体２２は、射出成形されて後片部材１２の外表面１２１から突出され、複数のシリコーン装飾体２３が射出成形されて舌片部材１３の外表面１３３から突出され、複数のシリコーン装飾体２２，２３がハート形に形成される。シリコーン装飾体２３中の大きなハート形のシリコーンは、折り線部１７ａ，１７ｂから離れた舌片部材１３の一端に配設され、大きなハート形のシリコーンの先端は、縁口部１３２に対応した形状を有する。
【００２３】
シリコーンサブ装飾体３１，３２は、シリコーンからなり、シリコーン装飾体２１に射出成形される。さらに詳細には、シリコーンサブ装飾体３１，３２は、シリコーン装飾体２１に直接的に射出成形したり、或いは、シリコーン装飾体２１の凹溝中に射出成形したりし、シリコーンサブ装飾体３１，３２の厚さを調整することにより、シリコーン装飾体２１上の凹凸程度を決めてもよい。さらに詳細には、シリコーン装飾体２１，２２，２３及びシリコーンサブ装飾体３１，３２をシリコーンバッグ１へ射出成形して収納バッグ１００を多層構造に形成し、シリコーンバッグ１、シリコーン装飾体２１，２２，２３及びシリコーンサブ装飾体３１，３２の色及び形状を変えて収納バッグ１００へ様々な変化を与えてもよい。
【００２４】
持ち手部材４は、シリコーンからなり、端部に掛止部材４１が設けられている。掛止部材４１は、ユーザが収納バッグ１００を手で持つことができるように、シリコーンバッグ１の引掛け孔部材１４に係合される。代替的に、持ち手部材４は、金属、プラスチック、布などの材料により製作し、両端をシリコーンバッグ１の任意の箇所に固着させてもよい。
【００２５】
（第２実施形態）
図４を参照する。図４に示すように、本考案の第２実施形態に係る収納バッグ１００ａは、第１実施形態の収納バッグ１００と略同じであり、同じ箇所についてはここでは繰り返して述べない。第２実施形態に係る収納バッグ１００ａは、後片部材１２のシリコーン装飾体２２ａが固定部２２１、延伸部２２２及びミシン目２２３を含む点が第１実施形態と異なる。固定部２２１は、後片部材１２の外表面１２１に貼着される。延伸部２２２は、固定部２２１から延びて空中に突き出た状態である。ミシン目２２３は、シリコーン装飾体２２ａに縫着されて装飾効果を得る。勿論、ミシン目２２３は、シリコーン装飾体２２ａ及びシリコーンバッグ１ａに縫着させてもよい。持ち手部材４ａは、２本の折り線部１７ａ，１７ｂ間に配設され、２本の折り線部１７ａ，１７ｂに対して平行に配置され、両端に舌片部材１３がそれぞれ貼着される。シリコーンバッグ１ａは、持ち手部材４ａ及びシリコーン装飾体２２ａに配設されて装飾効果を得る金属部材５をさらに含む。勿論、第２実施形態はこれだけに限定されるわけではなく、他の実施形態では、金属部材５を持ち手部材４ａ及びシリコーンバッグ１ａへ貫設し、持ち手部材４ａをシリコーンバッグ１ａへ固定したり、或いは、金属部材５をシリコーン装飾体２２ａ及びシリコーンバッグ１ａへ貫設したりしてシリコーン装飾体２２ａをシリコーンバッグ１ａへ固定させてもよい。
【００２６】
（第３実施形態）
図５及び図６を参照する。図５及び図６に示すように、本考案の第３実施形態に係る収納バッグ１００ｂは、第１実施形態の収納バッグ１００と略同じであり、同じ箇所についてはここでは繰り返して述べない。第３実施形態に係る収納バッグ１００ｂは、シリコーンバッグ１ｂの後片部材１２と舌片部材１３との間に折り線部１７が１本だけ設けられている点が第１実施形態と異なる。シリコーン装飾体２３ａは、後片部材１２の外表面１２１及び舌片部材１３の外表面１３３に射出成形され、シリコーン装飾体２３ａには、ミシン目２３１が設けられている。シリコーンサブ装飾体３１ａは、シリコーン装飾体２３ａに射出成形され、猫耳の形状に形成される。シリコーンサブ装飾体３１ａは、固定部３１１及び延伸部３１２を有する。固定部３１１は、舌片部材１３に貼着され、延伸部３１２は、固定部３１１から延びて舌片部材１３から突出される。収納バッグ１００ｂは、シリコーンバッグ１ｂの引掛け孔部材１４に係合される掛け飾り体６をさらに含む。
【００２７】
（第４実施形態）
本考案は上述した第１実施形態〜第３実施形態だけに限定されるわけではなく、例えば、図７及び図８に示すように、第４実施形態の収納バッグ１００ｃのシリコーンバッグ１ｃが引掛け孔部材１４を１つだけ有し、引掛け孔部材１４に持ち手部材４ｂが係合されてもよい。
【００２８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１  シリコーンバッグ
１ａ  シリコーンバッグ
１ｂ  シリコーンバッグ
１ｃ  シリコーンバッグ
４  持ち手部材
４ａ  持ち手部材
４ｂ  持ち手部材
５  金属部材
６  掛け飾り体
１１  前片部材
１２  後片部材
１３  舌片部材
１４  引掛け孔部材
１５  収納空間
１６  開口
１７  折り線部
１７ａ  折り線部
１７ｂ  折り線部
２１  シリコーン装飾体
２１ａ  シリコーン装飾体
２２  シリコーン装飾体
２２ａ  シリコーン装飾体
２３  シリコーン装飾体
２３ａ  シリコーン装飾体
２３ｂ  シリコーン装飾体
３１  シリコーンサブ装飾体
３１ａ  シリコーンサブ装飾体
３２  シリコーンサブ装飾体
４１  掛止部材
１００  収納バッグ
１００ａ  収納バッグ
１００ｂ  収納バッグ
１００ｃ  収納バッグ
１１１  外表面
１１２  係合部
１１３  凹縁部
１２１  外表面
１３１  相互係合部
１３２  縁口部
１３３  外表面
２１１  ミシン目
２２１  固定部
２２２  延伸部
２２３  ミシン目
２３１  ミシン目
３１１  固定部
３１２  延伸部
【図１】
0003184999.tif 000003
【図２】
0003184999.tif 000004
【図３】
0003184999.tif 000005
【図４】
0003184999.tif 000006
【図５】
0003184999.tif 000007
【図６】
0003184999.tif 000008
【図７】
0003184999.tif 000009
【図８】
0003184999.tif 000010